(57)【要約】【課題】  電話帳データの更新状況に応じて発信元端末の発信を制御することを可能とする電話帳管理システムを提供すること。【解決手段】  この電話帳管理システム１０は、携帯電話機５０からの要求に応じて、対応する電話帳データをデータ格納部２５０に格納されている電話帳データの中から選択するデータ選択部２０１と、当該選択した電話帳データを選択時刻情報と共に携帯電話機５０に送信するデータ送信部２０２と、携帯電話機５０が送信する選択時刻情報を受信する発信時受信部３０１と、当該受信した選択時刻情報とデータ格納部２５０に格納されている更新時刻情報とのそれぞれが特定する時刻の前後を判断する更新判断部３０２と、当該判断の結果に応じて携帯電話機５１〜５３への発信を許可する発信制御部３０３と、を備える。【選択図】  図１
2006310984.tif 000002
【特許請求の範囲】
【請求項１】
複数の着信先端末をそれぞれ特定する端末特定情報を含む電話帳データを、当該電話帳データに関する更新時刻情報と共に格納するデータ格納手段と、
発信元端末からの要求に応じて、当該発信元端末に対応した電話帳データを前記データ格納手段に格納されている電話帳データの中から選択するデータ選択手段と、
当該選択した電話帳データを、その選択した時刻を特定する選択時刻情報と共に前記発信元端末に送信するデータ送信手段と、
前記発信元端末が、当該送信された電話帳データで特定される前記着信先端末に発信する際に送信する、当該電話帳データの選択時刻情報を受信する発信時受信手段と、
当該受信した選択時刻情報と前記データ格納手段に格納されている更新時刻情報とのそれぞれが特定する時刻の前後を判断する更新判断手段と、
当該判断の結果に応じて前記着信先端末への発信を許可する発信制御手段と、
を備える電話帳管理システム。
【請求項２】
前記データ格納手段に格納されている電話帳データ及び更新時刻情報を更新するデータ更新手段を備える、請求項１に記載の電話帳管理システム。
【請求項３】
前記更新時刻情報は、前記電話帳データに含まれる複数の端末特定情報の構成が更新された時刻を特定するものである、請求項１又は２に記載の電話帳管理システム。
【請求項４】
前記発信制御手段は、前記更新判断手段の判断結果が、前記選択時刻情報で特定される時刻が前記更新時刻情報で特定される時刻よりも後であった場合に発信を許可する、請求項３に記載の電話帳管理システム。
【請求項５】
前記更新時刻情報は、前記電話帳データで特定される複数の着信先端末を使用する各ユーザの状態情報が更新された時刻をそれぞれ個別に特定するものである、請求項１又は２に記載の電話帳管理システム。
【請求項６】
前記発信制御手段は、
前記更新判断手段の判断結果が、前記複数の端末特定情報の内の一部について、前記選択時刻情報で特定される時刻が前記更新時刻情報で特定される時刻よりも後であった場合に、
当該一部の端末特定情報によって特定される着信先端末にのみ発信を許可する、請求項５に記載の電話帳管理システム。
【請求項７】
発信元端末に対して、複数の着信先端末をそれぞれ特定する端末特定情報を含む電話帳データを送信する電話帳管理方法であって、
データ選択手段が、発信元端末からの要求に応じて、当該発信元端末に対応した電話帳データを、データ格納手段に格納されている電話帳データの中から選択するデータ選択ステップと、
データ送信手段が、当該選択した電話帳データを、その選択した時刻を特定する選択時刻情報と共に前記発信元端末に送信するデータ送信ステップと、
発信時受信手段が、前記データ送信ステップにおいて送信された電話帳データで特定される着信先端末に発信する際に前記発信元端末が送信する、当該送信された電話帳データの選択時刻情報を受信する発信時受信ステップと、
更新判断手段が、当該受信した選択時刻情報と前記データ格納手段に格納されている更新時刻情報とのそれぞれが特定する時刻の前後を判断する更新判断ステップと、
発信制御手段が、当該判断の結果に応じて前記着信先端末への発信を許可する発信制御ステップと、を備える電話帳管理方法。
【発明の詳細な説明】
【技術分野】
【０００１】
本発明は、発信元端末に対して電話帳データを送信する電話帳管理システム及び電話帳管理方法に関する。
【背景技術】
【０００２】
通信端末において格納されている電話帳データに基づいて、その電話帳データに含まれている通信端末と通信を行うことが行われている。また、この電話帳データをサーバに格納しておき、要求により通信端末に送信する技術がある（例えば、下記特許文献１参照）。
【特許文献１】特開２００３−１３４２１７号公報
【発明の開示】
【発明が解決しようとする課題】
【０００３】
上記特許文献１においては、サーバにおいてマスターデータ（上記特許文献１においては電話帳データ）からカスタマイズした電話帳データ（上記特許文献１においてはアドレス帳データ）を生成し、端末に送信している。上記特許文献１の段落番号０００４に記載されているように、この技術を用いれば端末に格納されている電話帳データ（上記特許文献１においてはアドレス帳データ）を自動的に更新することができる。
【０００４】
しかしながら、この「自動的に更新」とは、あくまでもデータの選別等を自動化することを目的とするものであって、各端末に格納されている電話帳データ（上記特許文献１においてはアドレス帳データ）が最新の情報であるか否かを自動的に判別できるものではなかった。
【０００５】
従って、例えば端末のユーザが最新のものであると認識している電話帳データ（上記特許文献１においてはアドレス帳データ）に基づいて発信を行ったとしても、場合によっては電話帳データが古くなっており、発信が正常に行えない場合も生じる。
【０００６】
そこで本発明は、発信元端末に対して電話帳データを送信する電話帳管理システム及び電話帳管理方法であって、その送信する電話帳データの更新状況に応じて発信元端末の発信を制御することを可能とする電話帳管理システム及び電話帳管理方法を提供することを目的とする。
【課題を解決するための手段】
【０００７】
本発明の電話帳管理システムは、複数の着信先端末をそれぞれ特定する端末特定情報を含む電話帳データを、当該電話帳データに関する更新時刻情報と共に格納するデータ格納手段と、発信元端末からの要求に応じて、当該発信元端末に対応した電話帳データをデータ格納手段に格納されている電話帳データの中から選択するデータ選択手段と、当該選択した電話帳データを、その選択した時刻を特定する選択時刻情報と共に発信元端末に送信するデータ送信手段と、発信元端末が、当該送信された電話帳データで特定される着信先端末に発信する際に送信する、当該電話帳データの選択時刻情報を受信する発信時受信手段と、当該受信した選択時刻情報とデータ格納手段に格納されている更新時刻情報とのそれぞれが特定する時刻の前後を判断する更新判断手段と、当該判断の結果に応じて着信先端末への発信を許可する発信制御手段と、を備える。
【０００８】
本発明によれば、電話帳データと選択時刻情報とを発信元端末に送信すると共に、その発信元端末が発信する際に電話帳データと共に送信する選択時刻情報と予め格納されている更新時刻情報とのそれぞれが特定する時刻の前後を確認するので、発信元端末に送信した電話帳データがその後更新されたか否かを判断することができる。その判断の結果に応じて発信を許可するので、例えば、発信元端末に電話帳データを送信した後に、着信先端末の電話番号や状態情報（通話可／不可、在席中／不在）といった電話帳データが更新された場合には、発信を制限するといった制御が可能となる。
【０００９】
また本発明の電話帳管理システムでは、データ格納手段に格納されている電話帳データ及び更新時刻情報を更新するデータ更新手段を備えることも好ましい。電話帳データと共に、そのデータを更新した時刻を特定する更新時刻情報を更新するので、電話帳データと更新時刻情報とを関連付けて更新することができる。
【００１０】
また本発明の電話帳管理システムでは、更新時刻情報は、電話帳データに含まれる複数の端末特定情報の構成が更新された時刻を特定するものであることも好ましい。電話帳データの構成が更新された時刻を更新時刻情報が特定するので、構成の変更に応じた処理が可能となる。
【００１１】
また本発明の電話帳管理システムでは、発信制御手段は、更新判断手段の判断結果が、選択時刻情報で特定される時刻が更新時刻情報で特定される時刻よりも後であった場合に発信を許可することも好ましい。電話帳データの構成が変更された時刻よりも後に取得された電話帳データに基づく発信を許可するので、最新の構成でない電話帳データによる発信を排除することができる。
【００１２】
また本発明の電話帳管理システムでは、更新時刻情報は、電話帳データで特定される複数の着信先端末を使用する各ユーザの状態情報が更新された時刻をそれぞれ個別に特定するものであることも好ましい。電話帳データに含まれる個々の情報が更新された時刻を更新時刻情報が特定するので、個々の情報の変更に応じた処理が可能となる。
【００１３】
また本発明の電話帳管理システムでは、発信制御手段は、更新判断手段の判断結果が、複数の端末特定情報の内の一部について、選択時刻情報で特定される時刻が更新時刻情報で特定される時刻よりも後であった場合に、当該一部の端末特定情報によって特定される着信先端末にのみ発信を許可することも好ましい。電話帳データに含まれる個々の情報が変更された場合に、電話帳データが取得された時刻よりも後に変更された情報を除外するので、電話帳データに含まれる最新でない情報による発信を除外することができる。
【００１４】
本発明の電話帳管理方法は、発信元端末に対して、複数の着信先端末をそれぞれ特定する端末特定情報を含む電話帳データを送信する電話帳管理方法であって、データ選択手段が、発信元端末からの要求に応じて、当該発信元端末に対応した電話帳データを、データ格納手段に格納されている電話帳データの中から選択するデータ選択ステップと、データ送信手段が、当該選択した電話帳データを、その選択した時刻を特定する選択時刻情報と共に発信元端末に送信するデータ送信ステップと、発信時受信手段が、データ送信ステップにおいて送信された電話帳データで特定される着信先端末に発信する際に発信元端末が送信する、当該送信された電話帳データの選択時刻情報を受信する発信時受信ステップと、更新判断手段が、当該受信した選択時刻情報とデータ格納手段に格納されている更新時刻情報とのそれぞれが特定する時刻の前後を判断する更新判断ステップと、発信制御手段が、当該判断の結果に応じて着信先端末への発信を許可する発信制御ステップと、を備える。
【００１５】
本発明によれば、電話帳データと選択時刻情報とを発信元端末に送信すると共に、その発信元端末が発信する際に電話帳データと共に送信する選択時刻情報と予め格納されている更新時刻情報とのそれぞれが特定する時刻の前後を確認するので、発信元端末に送信した電話帳データがその後更新されたか否かを判断することができる。その判断の結果に応じて発信を許可するので、例えば、発信元端末に電話帳データを送信した後に、着信先端末の電話番号や状態情報（通話可／不可、在席中／不在）といった電話帳データが更新された場合には、発信を制限するといった制御が可能となる。
【発明の効果】
【００１６】
本発明によれば、発信元端末に送信した電話帳データがその後更新されたか否かを判断することができる。従って、電話帳データの更新状況に応じて発信元端末の発信を制御することが可能となる。
【発明を実施するための最良の形態】
【００１７】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１８】
本発明の実施形態である電話帳管理システムについて図１を参照しながら説明する。図１は、電話帳管理システム１０の構成を示す図である。本実施形態では、ネットワーク４０に接続可能な携帯電話機５０，５１，５２，５３を制御することを例にとって説明する。ネットワーク４０は、携帯電話網におけるコアネットワークである。また、本実施形態では、携帯電話機５０が、携帯電話機５１，５２，５３に同時に発信する場合を特に例にとって説明する。従って、携帯電話機５０は発信元端末として機能し、携帯電話機５１，５２，５３は、それぞれ着信元端末として機能する。
【００１９】
電話帳管理システム１０は、ネットワーク４０とそれぞれ情報通信可能なように接続されているコンピュータ（又は複数のコンピュータによって構成されるコンピュータシステム）である、情報提供・管理サーバ２０と、認証サーバ３０とを備えている。
【００２０】
情報提供・管理サーバ２０は、データ選択部２０１（データ選択手段）と、データ送信部２０２（データ送信手段）と、データ更新部２０３（データ更新手段）と、データ格納部２５０（データ格納手段）とを備えている。引き続いて、各構成要素について説明する。
【００２１】
データ選択部２０１は、発信元端末である携帯電話機５０からの要求に応じて、携帯電話機５０に対応した電話帳データをデータ格納手段２５０に格納されている電話帳データの中から選択する部分である。より具体的には、携帯電話機５０がネットワーク４０に対して電話帳データの取得要求を送信すると、ネットワーク４０は携帯電話機５０を特定する情報である電話番号と共にその取得要求を情報提供・管理サーバ２０に送信する。送信された取得要求及び電話番号はデータ選択部２０１が受信する。
【００２２】
データ選択部２０１は、受信した取得要求及び電話番号に基づいて、データ格納部２５０に格納されている電話帳データから対応する電話帳データを選択してデータ送信部２０２に出力する。
【００２３】
データ格納部２５０に格納されている情報の例を図２に示す。図２の（Ａ）〜（Ｃ）は、それぞれ同じグループの電話帳データを示しており、それぞれ更新状態がことなっているものを例示している（詳細は後述する）。図２に示すように、データ格納部２５０には、「グループ名」「グループＩＤ」「グループ更新時刻情報（更新時刻情報）」に関連付けて、そのグループに所属するユーザの「ユーザ名（状態情報）」「電話番号（端末特定情報）」「ステータス（状態情報）」「個別更新時刻情報（更新時刻情報）」が格納されている。
【００２４】
「グループ名」は、そのグループの名称を示し、図２の場合は「人事課」である。「グループＩＤ」は、そのグループを特定するためのＩＤであって、図２の場合は「ＪＧ」である。「グループ更新時刻情報」は、そのグループの構成を変更等した更新時刻を特定するための情報であって、図２の場合は「２００５０１１０１３３０５５」である。「２００５０１１０１３３０５５」は、２００５年１月１０日１３時３０分５５秒を示している。このように本実施形態における時刻の概念は、時の流れにおけるある一瞬を示すものであある。
【００２５】
「ユーザ名」は、そのグループに所属しているユーザの名称を示すものである。本実施形態の場合、「ユーザ５０」は、携帯電話機５０のユーザの名称であり、「ユーザ５１」は、携帯電話機５１のユーザの名称であり、「ユーザ５２」は、携帯電話機５２のユーザの名称であり、「ユーザ５３」は、携帯電話機５３のユーザの名称である。「電話番号」は、対応するユーザが使用する携帯電話機の電話番号を示すものである。尚、「電話番号」は、ネットワーク４０において各携帯電話機を特定し識別できる情報であればよく、機体番号といった情報でもよい。「ステータス」は、対応するユーザの状態を示す状態情報である。「個別更新時刻情報」は、対応する「電話番号」「ステータス」が更新された時刻を示す情報である。「グループ更新時刻情報」と同様に「個別更新時刻情報」は、年から始まる情報で時刻を特定するものであり、例えば「２００５０２１０１１３０５５」は、２００５年２月１０日１１時３０分５５秒を示している。
【００２６】
データ選択部２０１は、受信した電話番号が携帯電話機５０の「０９００５０ＸＸＸＸＸ」である場合には、データ格納部２５０に格納されている電話帳データから、この電話番号を含む電話帳データを選択する。本実施形態では、説明を簡略化するために一つのグループにおける電話帳データのみしか例示していないけれども、多くの電話帳データがデータ格納部２５０に格納されていてもよい。一のユーザが複数のグループに所属してもよく、その場合には対応する複数の電話帳データをデータ選択部２０１は選択する。図２に例示した情報の場合には、データ選択部２０１は、対応する電話帳データの「グループＩＤ」「ユーザ名」「電話番号」「ステータス」を選択してデータ送信部２０２に出力する。
【００２７】
データ送信部２０２は、データ選択部２０１が選択した電話帳データを、その選択した時刻を特定する選択時刻情報と共に発信元端末である携帯電話機５０に送信する部分である。例えば、選択した時刻が２００５年２月１０日１２時３０分５５秒であれば、選択時刻情報は「２００５０２１０１２３０５５」となる。
【００２８】
データ更新部２０３は、データ格納部２５０に格納されている電話帳データ、グループ更新時刻情報、及び個別更新時刻情報を更新する部分である。データ更新部２０３は、情報提供・管理サーバ２０の外部から送信される指示情報に基づいてその更新を行ってもよく、情報提供・管理サーバ２０に直接入力される指示情報に基づいてその更新を行ってもよい。
【００２９】
図２の（Ｂ）は、図２の（Ａ）に示した電話帳データから、各ユーザの「ステータス」が更新された例を示している。図２の（Ａ）と（Ｂ）とを比較すると、各ユーザの「ステータス」は、ユーザ５０が「在席」から「出張」に、ユーザ５１が「在席」から「休憩中」に、ユーザ５２が「在席」から「会議中」に、それぞれ更新されている。「個別更新時刻情報」は、各ユーザの「ステータス」が更新された時刻を示している。
【００３０】
図２の（Ｃ）は、図２の（Ａ）に示した電話帳データから、電話帳データに含まれるユーザの構成が更新された例を示している。図２の（Ａ）と（Ｃ）とを比較すると、ユーザ５３が削除されており、ユーザ５０，５１，５２のみがグループに含まれる構成となっている。「グループ更新時刻情報」は、このようにグループに含まれるユーザが変更された時刻を示している。尚、各ユーザの「電話番号」が変更された場合も、構成が変更されたもとみなして処理する。
【００３１】
図１に戻り、認証サーバ３０について説明する。認証サーバ３０は、発信時受信部３０１（発信時受信手段）と、更新判断部３０２（更新判断手段）と、発信制御部３０３（発信制御手段）とを備えている。引き続いて、各構成要素について説明する。
【００３２】
発信時受信部３０１は、携帯電話機５０が情報提供・管理サーバ２０から送信された電話帳データで特定される携帯電話機５１，５２，５３に発信する際に送信する、電話帳データの選択時刻情報を受信する部分である。より具体的には、携帯電話機５０において電話帳データを選択して発信動作をすると、その電話帳データの「グループＩＤ」及び選択時刻情報がネットワーク４０に送信され、ネットワーク４０から認証サーバ３０に送信される。
【００３３】
例えば、情報提供・管理サーバ２０が電話帳データを選択した時刻が２００５年２月１０日１２時３０分５５秒であれば、選択時刻情報は「２００５０２１０１２３０５５」であるから、受信する情報は選択時刻情報として「２００５０２１０１２３０５５」であり、「グループＩＤ」として「ＪＧ」である。発信時受信部３０１は、受信した「グループＩＤ」及び選択時刻情報を更新判断部３０２に出力する。
【００３４】
更新判断部３０２は、発信時受信部３０１が受信した選択時刻情報とデータ格納部２５０に格納されている「グループ更新時刻情報」又は「個別更新時刻情報」とのそれぞれが特定する時刻の前後を判断する部分である。より具体的には、更新判断部３０２は、発信時受信部３０１が出力する「グループＩＤ」に基づいて、データ格納部２５０に格納されている電話帳データを選択する。
【００３５】
更新判断部３０２は、次に、その選択した電話帳データにおける「グループ更新時刻情報」と選択時刻情報とを比較する。選択時刻情報が「２００５０２１０１２３０５５」である場合には、図２の（Ｂ）であれば、「グループ更新時刻情報」が「２００５０１１０１３３０５５」であるから、選択時刻情報で特定される時刻が「グループ更新時刻情報」で特定される時刻よりも後である。この場合に更新判断部３０２は、その旨の情報を発信制御部３０３に出力する。また、選択時刻情報が「２００５０２１０１２３０５５」である場合でも、図２の（Ｃ）であれば、「グループ更新時刻情報」が「２００５０３１０１３３０５５」であるから、選択時刻情報で特定される時刻が「グループ更新時刻情報」で特定される時刻よりも前である。この場合に更新判断部３０２は、その旨の情報を発信制御部３０３に出力する。
【００３６】
更新判断部３０２は、選択時刻情報で特定される時刻が「グループ更新時刻情報」で特定される時刻よりも後である場合に、各「個別更新時刻情報」と選択時刻情報とを比較する。選択時刻情報が「２００５０２１０１２３０５５」である場合には、図２の（Ｂ）であれば、ユーザ５２の「個別更新時刻情報」が「２００５０２１０１３３０５５」であるから、ユーザ５２のみが選択時刻情報で特定される時刻よりも後に更新されている。この場合に更新判断部３０２は、その旨の情報を発信制御部３０３に出力する。
【００３７】
発信制御部３０３は、更新判断部３０２の判断の結果に応じて携帯電話機５１，５２，５３への発信を許可する部分である。より具体的には、更新判断部３０２から出力される情報が、選択時刻情報で特定される時刻が「グループ更新時刻情報」で特定される時刻よりも前の場合には、対応する電話帳データが含む全てのユーザが使用する携帯電話機への発信を許可しない指示をネットワーク４０に送信する。図２の（Ｃ）の場合には、発信制御部３０３は、携帯電話機５１，５２，５３への発信を許可しない指示をネットワーク４０に送信する。
【００３８】
また、更新判断部３０２から出力される情報が、選択時刻情報で特定される時刻が「グループ更新時刻情報」で特定される時刻よりも後であって、「個別更新時刻情報」で特定される全ての時刻が選択時刻情報で特定される時刻よりも前である場合には、対応する電話帳データが含む全てのユーザが使用する携帯電話機への発信を許可する指示をネットワーク４０に送信する。
【００３９】
また、更新判断部３０２から出力される情報が、選択時刻情報で特定される時刻が「グループ更新時刻情報」で特定される時刻よりも後であって、「個別更新時刻情報」の一部で特定される時刻が選択時刻情報で特定される時刻よりも前である場合には、その一部のユーザが使用する携帯電話機への発信を許可する指示をネットワーク４０に送信する。図２の（Ｂ）の場合には、発信制御部３０３は、携帯電話機５１，５３への発信を許可し、携帯電話機５２への発信を許可しない指示をネットワーク４０に送信する。尚、この場合に、全ての携帯電話機への発信を不許可とするようにしてもよい。
【００４０】
続いて、電話帳管理システム１０を利用した電話帳管理方法について図１〜３を参照しながら説明する。図１及び図２は既に参照した図であり、図３は電話帳管理システム１０を利用した電話帳管理方法を説明するためのシーケンス図である。
【００４１】
発信元端末である携帯電話機５０において、電話帳データの取得要求が入力されると、その取得要求がネットワーク４０を経由して情報提供・管理サーバ２０に送信される（ステップＳ０１）。
【００４２】
携帯電話機５０から送信された電話帳データの取得要求は、情報提供・管理サーバ２０のデータ選択部２０１が受信する。データ選択部２０１は、発信元端末である携帯電話機５０からの要求に応じて、携帯電話機５０に対応した電話帳データをデータ格納手段２５０に格納されている電話帳データの中から選択する（ステップＳ０２、データ選択ステップ）。
【００４３】
データ選択部２０１が選択した電話帳データはデータ送信部２０２に出力される。データ送信部２０２は、データ選択部２０１が選択した電話帳データを、その選択した時刻を特定する選択時刻情報と共に発信元端末である携帯電話機５０に送信する（ステップＳ０３、データ送信ステップ）。
【００４４】
携帯電話機５０では、送信された電話帳データを選択し、その電話帳データに含まれる携帯電話機５１，５２，５３に対する発信操作を行う（ステップＳ０４）。この操作に応じて、携帯電話機５０からネットワーク４０へ発信要求が送信される（ステップＳ０５）。
【００４５】
ネットワーク４０は、発信要求を受信すると、認証サーバ３０に認証要求を送信する（ステップＳ０６）。この認証要求には、携帯電話機５０から送信される電話帳データの「グループＩＤ」及び選択時刻情報が含まれる。送信された認証要求は認証サーバ３０の発信時受信部３０１が受信する（ステップＳ０７、発信時受信ステップ）。発信時受信部３０１は、受信した「グループＩＤ」及び選択時刻情報を更新判断部３０２に出力する。
【００４６】
更新判断部３０２が、発信時受信部３０１が受信した選択時刻情報とデータ格納部２５０に格納されている「グループ更新時刻情報」又は「個別更新時刻情報」とのそれぞれが特定する時刻の前後を判断する（ステップＳ０８、更新判断ステップ）。更新判断部３０２は、その判断結果を示す情報を発信制御部３０３に出力する。
【００４７】
発信制御部３０３が、更新判断部３０２の判断の結果に応じて携帯電話機５１，５２，５３への発信を許可する（ステップＳ０９、発信制御ステップ）。発信制御部３０３は、発信を許可する場合には、電話帳データに含まれる全ての携帯電話機に発信を許可するか、又はいずれかの携帯電話機にのみ発信を許可するかを含む発信許可指示をネットワーク４０に送信する（ステップＳ１０）。この発信許可指示を受信すると、ネットワーク４０は所定の発信処理を行う（ステップＳ１１）。
【００４８】
発信制御部３０３は、発信を許可しない場合には、その旨を示す発信不許可指示をネットワーク４０に送信する（ステップＳ１２）。この発信不許可指示を受信すると、ネットワーク４０は、エラー通知を携帯電話機５０に送信する（ステップＳ１３）。
【００４９】
本実施形態では、電話帳管理システム１０を、情報提供・管理サーバ２０及び認証サーバ３０で構成したが、双方のサーバが備える機能的な部分を備える一体的なサーバとして構成してもよい。
【００５０】
本実施形態によれば、電話帳データと選択時刻情報とを携帯電話機５０に送信すると共に、携帯電話機５０が発信する際に電話帳データと共に送信する選択時刻情報と予め格納されている更新時刻情報（グループ更新時刻情報、個別更新時刻情報）とのそれぞれが特定する時刻の前後を確認するので、携帯電話機５０に送信した電話帳データがその後更新されたか否かを判断することができる。その判断の結果に応じて発信を許可するので、例えば、携帯電話機５０に電話帳データを送信した後に、携帯電話機５１，５２，５３の電話番号や状態情報（通話可／不可、在席中／不在）といった電話帳データが更新された場合には、発信を制限するといった制御が可能となる。
【図面の簡単な説明】
【００５１】
【図１】本発明の実施形態である電話帳管理システムの構成を示す図である。
【図２】図１のデータ格納部に格納される情報の例を示した図である。
【図３】本発明の実施形態である電話帳管理システムを利用した電話帳管理方法を説明するための図である。
【符号の説明】
【００５２】
１０…電話帳管理システム、２０…情報提供・管理サーバ、３０…認証サーバ、４０…ネットワーク、５０，５１，５２，５３…携帯電話機、２０１…データ選択部、２０２…データ送信部、２０３…データ更新部、２５０…データ格納部、３０１…発信時受信部、３０２…更新判断部、３０３…発信制御部。
【図１】
2006310984.tif 000003
【図２】
2006310984.tif 000004
【図３】
2006310984.tif 000005